(57)【特許請求の範囲】
【請求項１】
被洗浄車両と洗車機本体とを相対移動させながら、洗浄手段および乾燥手段により洗車を行う洗車機であって、床面側には、被洗浄車両と相対移動自在な底部洗浄装置と、洗浄位置に進入してきた被洗浄車両の車幅方向の修正手段とが設けられ、前記底部洗浄装置は、相対移動方向に対して直交状の横方向軸心の回りに回転自在な底面用ブラシと、被洗浄車両の車輪の内側に対向自在な噴射ノズルとを有し、この噴射ノズルは、被洗浄車両の車幅に対応した修正手段の変位に応じて車幅方向に出退動自在に構成されていることを特徴とする洗車機。
【請求項２】
底部洗浄装置は、底面用ブラシに対して横方向の外側位置に、被洗浄車両の車輪の内側に対向自在な噴射ノズルを有することを特徴とする請求項１記載の洗車機。
【請求項３】
洗車機本体は被洗浄車両に対して相対移動自在に構成され、底部洗浄装置は、相対移動方向に移動自在な台車体に底面用ブラシを設けて構成されていることを特徴とする請求項１または２記載の洗車機。
【発明の詳細な説明】
【技術分野】
【０００１】
本発明は、たとえば給油所に設置され、洗車に使用される洗車機に関するものである。
【背景技術】
【０００２】
従来、被洗浄車輌の底部を洗浄可能とした洗車機としては、次のような構成が提供されている。すなわち下部洗浄装置は、複数の高圧スプレーノズルを左右方向に配設した下部洗浄機と、この下部洗浄機を前後方向に移動させる走行駆動装置とから構成されている。そして走行駆動装置により下部洗浄機を前後方向に往復移動させながら、高圧スプレーノズル群から上方に向けて洗剤を噴射させることで、自動車の下部の洗浄を行っている（たとえば、特許文献１参照。）。
【特許文献１】特開平５−１６７６８号公報（第３−４頁、図１、図１１）
【特許文献２】実願昭５６−１２９０１１号（実開昭５８−３３３６０号）のマイクロフィルム（第５図）
【発明の開示】
【発明が解決しようとする課題】
【０００３】
しかし、上記した従来構成によると、自動車の下部（底部）の汚れのうちには、高圧スプレーノズル群からの噴射力のみではなかなか落とせない汚れもあり、十分な洗浄を行えなかった。
【０００４】
そこで本発明の請求項１記載の発明は、被洗浄車両の底部の洗浄を常に十分に行える洗車機を提供することを目的としたものである。
また請求項２記載の発明は、被洗浄車両の車輪の内側も好適に洗浄し得る洗車機を提供することを目的としたものである。
【課題を解決するための手段】
【０００５】
前述した目的を達成するために、本発明の請求項１記載の洗車機は、被洗浄車両と洗車機本体とを相対移動させながら、洗浄手段および乾燥手段により洗車を行う洗車機であって、床面側には、被洗浄車両と相対移動自在な底部洗浄装置と、洗浄位置に進入してきた被洗浄車両の車幅方向の修正手段とが設けられ、前記底部洗浄装置は、相対移動方向に対して直交状の横方向軸心の回りに回転自在な底面用ブラシと、被洗浄車両の車輪の内側に対向自在な噴射ノズルとを有し、この噴射ノズルは、被洗浄車両の車幅に対応した修正手段の変位に応じて車幅方向に出退動自在に構成されていることを特徴としたものである。
【０００６】
したがって請求項１の発明によると、進入してくる被洗浄車両の車幅方向における位置ずれを、修正手段によって自動的に修正したのち、この被洗浄車両を、底部洗浄装置を跨いだ状態で洗浄位置に停車し得る。その際に噴射ノズルを、被洗浄車両の車幅（車種）に対応した修正手段の変位に応じて車幅方向に出退動させることで、車幅の異なる複数種の被洗浄車両の車輪内側に、常に好適に噴射ノズルを対向させ得る。そして、被洗浄車両と底部洗浄装置とを相対移動させながら底面用ブラシを横方向軸心の回りに回転させることで、回転により拡がった底面用ブラシによるブラッシング洗浄により、被洗浄車両の底部を洗浄し得る。また噴射ノズルから洗浄水を噴射させることで、被洗浄車両の車輪内側も高圧洗浄し得る。
【０００７】
また本発明の請求項２記載の洗車機は、上記した請求項１記載の構成において、底部洗浄装置は、底面用ブラシに対して横方向の外側位置に、被洗浄車両の車輪の内側に対向自在な噴射ノズルを有することを特徴としたものである。
【０００８】
したがって請求項２の発明によると、車輪内側に対向したときに噴射ノズルから洗浄水（高圧水）を噴射させることで、被洗浄車両の車輪内側（タイヤハウス）を高圧洗浄し得る。
【０００９】
そして本発明の請求項３記載の洗車機は、上記した請求項１または２記載の構成において、洗車機本体は被洗浄車両に対して相対移動自在に構成され、底部洗浄装置は、相対移動方向に移動自在な台車体に底面用ブラシを設けて構成されていることを特徴としたものである。
【００１０】
したがって請求項３の発明によると、被洗浄車両に対する洗車機本体の相対移動に同期状として台車体を移動させて、回転により拡がった底面用ブラシにより底部に対してブラッシング洗浄を行える。
【発明の効果】
【００１５】
上記した本発明の請求項１によると、進入してくる被洗浄車両の車幅方向における位置ずれを、修正手段によって自動的に修正したのち、この被洗浄車両を、底部洗浄装置を跨いだ状態で洗浄位置に停車できる。その際に噴射ノズルを、被洗浄車両の車幅（車種）に対応した修正手段の変位に応じて車幅方向に出退動させることで、車幅の異なる複数種の被洗浄車両の車輪内側に、常に好適に噴射ノズルを対向できる。そして被洗浄車両と底部洗浄装置とを相対移動させながら底面用ブラシを横方向軸心の回りに回転させることで、回転により拡がった底面用ブラシによるブラッシング洗浄により、被洗浄車両の底部の汚れを確実に落とすことができ、以て底部の洗浄を常に十分に行うことができる。また噴射ノズルから洗浄水を噴射させることで、被洗浄車両の車輪内側も好適に高圧洗浄することができる。
【００１６】
また上記した本発明の請求項２によると、車輪内側に対向したときに噴射ノズルから洗浄水（高圧水）を噴射させることで、従来では洗浄できなかった被洗浄車両の車輪内側（タイヤハウス）も好適に高圧洗浄することができる。
【００１７】
そして上記した本発明の請求項３によると、被洗浄車両に対する洗車機本体の相対移動に同期状として台車体を移動させて、回転により拡がった底面用ブラシにより底部に対してブラッシング洗浄を行うことができる。
【発明を実施するための最良の形態】
【００２０】
［実施の形態１］
以下に、本発明の実施の形態１を、移動式の洗車機に採用した状態として、図に基づいて説明する。
【００２１】
図２、図３に示すように、門形の洗車機本体１０は、複数個の輪体１１を介して床面１側の左右一対の洗車機用レール２上に載置されており、走行駆動装置（図示せず）の作動により前後方向（相対移動方向）Ａの一定経路上で往復走行される。洗車機本体１０には、被洗浄車両（普通乗用車など）５の洗浄手段の一例として、第１洗浄水ノズル１２と、第１洗剤ノズル１３と、第２洗浄水ノズル１４と、撥水コート剤ノズル１５と、第２洗剤ノズル１６と、ワックスノズル１７とが、前部から後部に亘って、この順で配設されている。ここで各ノズル１２〜１７は、たとえばアーチ状に構成されている。
【００２２】
そして洗車機本体１０には、被洗浄車両５のブラッシング手段の一例として、サイドブラシ１８やロッカーブラシ１９やトップブラシ２０が配設されている。さらに洗車機本体１０には、被洗浄車両５の乾燥手段の一例として、昇降自在なトップノズル２１、左右一対のサイドノズル２２、ならびにトップノズル２１にダクトホース２３を介して接続された左右一対のトップ側ブロワ装置２４、サイドノズル２２にダクトホース２５を介して接続された左右一対のサイド側ブロワ装置２６が設けられる。
【００２３】
図１、図４、図６に示すように、床面１側には、被洗浄車両５と相対移動自在な底部洗浄装置３１が設けられ、この底部洗浄装置３１は、前後方向（相対移動方向）Ａに対して直交状の横方向軸心３６Ａの回りに回転自在な底面用ブラシ３５を有する。すなわち、床面１側において左右一対の洗車機用レール２間には、左右一対の台車体用レール３が配設され、そして平枠状の台車体３２が複数個の輪体３３を介して台車体用レール３上に載置されるとともに、往復動装置４４の作動により前後方向（相対移動方向）Ａの一定経路上で往復移動される。
【００２４】
前記台車体３２上には、左右一対の軸受部材３４により底面用ブラシ３５の横方向のブラシ軸３６が支持されており、以て底面用ブラシ３５は横方向軸心３６Ａの回りに回転自在に構成される。さらに台車体３２側には、モータなどからなるブラシ駆動部３７が設けられ、ブラシ駆動部３７は前記ブラシ軸３６に巻き掛け伝動装置３８を介して連動連結されている。そして、台車体３２上で前部側の２箇所（単数箇所または複数箇所）には上向きの洗浄水ノズル３９が設けられ、また、台車体３２上で底面用ブラシ３５に対して横方向の両外側位置それぞれには、被洗浄車両５の車輪６の内側（タイヤハウス）６ａに対向自在な噴射ノズル４１が設けられている。
【００２５】
その際に噴射ノズル４１を支持した支持部材４２は、その基端部分が台車体３２の横方向の両側部分に形成されたガイド穴部４０に、横方向に摺動のみ自在に嵌合されるとともに、先端部分の外方位置にガイドローラ４３が設けられており、以て噴射ノズル４１は、床面１側に設けられた修正手段（後述する。）の変位に応じて車幅方向（左右方向）Ｂに出退動自在に構成されている。なお、床面１側と台車体３２との間には、給電や給水を行うための配線・配管体（図示せず。）が、台車体３２の往復動を許容する状態で配設されている。
【００２６】
前記往復動装置４４は、洗車機本体１０の前方側に位置される遊転輪体４５と、洗車機本体１０の後方側に位置される伝動輪体４６と、両輪体４５，４６間に巻回される回動体４７と、前記伝動輪体４６に巻き掛け伝動装置４８を介して連動連結される正逆駆動部（モータなど）４９などにより構成され、回動体４７の所定箇所が連結部材５０を介して台車体３２側に連結されている。以上の３２〜５０などにより、底部洗浄装置３１の一例が構成される。
【００２７】
前記床面１側には、洗浄位置Ｃに進入してくる被洗浄車両５の車幅方向（左右方向）Ｂの位置修正を行う前記修正手段５１が設けられている。すなわち洗浄位置Ｃの前方位置には、床面１と同様のレベルの車輪受け板５２が車幅方向Ｂにスライド自在に設けられている。そして、左右一対の洗車機用レール２と左右一対の台車体用レール３との間に位置されて、左右一対のガイド体５３が設けられている。これらガイド体５３は丸ロッド状であって、前記車輪受け板５２上に位置される前端部分は、互いに内側に向けて折曲した誘導部５３Ａに形成されている。
【００２８】
また両ガイド体５３は、それぞれ四連リンク機構５４を介して床面１側に支持されることで、平行状を維持して互いに接近離間自在に構成され、そして引っ張りばね（付勢具）５５によって互いに離間される方向に付勢されるとともに、ストッパー体５６によって最大離間位置が規制されている。ここで、両ガイド体５３が最大離間位置にあるとき、両外面により形成される最大ガイド幅Ｗは、洗車可能な複数種の被洗浄車両５のうちで最大の車輪内面間幅よりも大に設定されており、以て洗車可能な被洗浄車両５により、両ガイド体５３は常に接近動するように構成されている。
【００２９】
なお両ガイド体５３の内面側には、断面Ｕ字型のガイドレール５７が下開放状（逆向き状）で、かつほぼ全長に亘って設けられており、これらガイドレール５７に前記ガイドローラ４３が嵌合されている。これにより前記噴射ノズル４１は、修正手段５１、すなわちガイド体５３の変位に応じて車幅方向（左右方向）Ｂに出退動自在に構成される。以上の５２〜５７などにより、修正手段５１の一例が構成される。
【００３０】
図２、図３に示すように、前記洗車機本体１０における右側の縦枠部の前面には操作パネル６１が設けられ、そして操作パネル６１の裏面側には、各部の動作を司る制御装置６２が設けられている。また洗車機本体１０には、被洗浄車両５の前部や後部の位置を把握する車両位置センサーや、被洗浄車両５の車高を把握する車高センサー（いずれも図示せず。）が設けられている。
【００３１】
以下に、上記した実施の形態１における作用を説明する。
洗車を行うに際して、図６の実線に示すように、両ガイド体５３の両外面間が最大ガイド幅Ｗにある状態において、まず被洗浄車両５を洗浄位置Ｃに向けて進入させる。すると、車輪受け板５２上に入ってきた被洗浄車両５の車輪（左右の前輪）６が誘導部５３Ａに当接して、両ガイド体５３を引っ張りばね５５の付勢力に抗して互いに接近動させ、以て両ガイド体５３を被洗浄車両５の車幅（車種）に対応して自動的に移動させる。
【００３２】
その際に、進入してきた被洗浄車両５が車幅方向Ｂにおいて位置ずれしていたとき、内側に位置ずれしていた車輪６が当接した一方のガイド体５３が、他方のガイド体５３よりも大きく接近動することになる。これにより引っ張りばね５５による付勢力は、他方のガイド体５３側よりも一方のガイド体５３側が大きくなり、その差によって被洗浄車両５の前部に一方側への横移動力が作用することになる。このとき車輪６が車輪受け板５２上に進入していることで、その横移動力により車輪受け板５２を一方側へスライド移動させ、以て両側の付勢力が均等状になることで、被洗浄車両５の車幅方向Ｂにおける位置ずれを自動的に修正し得る。
【００３３】
そして被洗浄車両５をさらに進入させると、上述と同様にして車輪（左右の後輪）６を誘導部５３Ａに当接させるなどして、被洗浄車両５の後部の位置ずれを自動的に修正し得る。このようにして、修正手段５１によって被洗浄車両５の車幅方向Ｂにおける位置ずれを自動的に修正したのち、図４の仮想線に示すように、この被洗浄車両５を、底部洗浄装置３１を跨いだ状態で洗浄位置Ｃに停車し得る。
【００３４】
このような位置ずれの修正を行うとき、ガイドレール５７がガイド体５３と一体に車幅方向Ｂに移動し、これに伴って、ガイドレール５７に嵌合しているガイドローラ４３を介して支持部材４２が車幅方向Ｂに移動して、噴射ノズル４１を一体移動させる。これにより台車体３２に対して噴射ノズル４１を、被洗浄車両５の車幅（車種）に対応した修正手段５１の変位、すなわちガイドレール５７の変位に応じて車幅方向Ｂに出退動でき、以て図５の実線や仮想線に示すように、車幅の異なる被洗浄車両５の車輪６の内側に、常に好適に噴射ノズル４１を対向させることができる。
【００３５】
上述したように、被洗浄車両５を洗浄位置Ｃに停車させた状態で、運転者または作業者が操作パネル６１を操作し、以て希望する一つの洗車コース（洗浄条件）が設定される。この状態で洗車スタートスイッチをオン操作することで、洗車機本体１０を往復走行させながら、回転により拡がった各ブラシ１８，１９，２０の接近離間動、洗浄水ノズル１２，１４を介しての水（洗浄水）の供給、洗剤ノズル１３，１６を介しての希釈した洗剤の供給、撥水コート剤ノズル１５を介しての希釈した撥水コート剤の供給、ワックスノズル１７を介しての希釈したワックスの供給、ならびに各ノズル２１，２２からの乾燥用空気（風）の噴出し（吹き付け）、などを適宜に組合せて作動させ、以て被洗浄車両５の前面５ａ、両側面５ｂ、後面５ｃと、上面５ｄとに対する所期の基本的な洗浄工程と乾燥工程とが行えることになる。このような洗車工程を遂行する際に、車高センサーや適宜の検出手段により車高や車長などが検出され、制御装置６２などを介して、前述した各作動部が好適に作動される。
【００３６】
そして、洗車機本体１０の往復走行に同期状として台車体３２を往復移動させて、底部洗浄装置３１による被洗浄車両５の下面（底部）５ｅと車輪内側６ａとに対する洗浄が行われる。すなわち、洗車機本体１０の前方への往走行開始に相前後して、往復動装置４４の駆動によって回動体４７を回動させ、図１に示すように、後部に待機していた台車体３２を洗車機本体１０に同期状として往移動させる。そして洗車機本体１０側の車両位置センサーによる被洗浄車両５の前部の位置把握（データ）に基づいて、洗浄水ノズル３９から下面（底部）５ｅに向けて洗浄水を噴射させるとともに、ブラシ駆動部３７の駆動により底面用ブラシ３５を横方向軸心３６Ａの回りに回転させることで、回転により拡がった底面用ブラシ３５により下面（底部）５ｅの洗浄を行うことができる。このような底面用ブラシ３５を横方向軸心３６Ａの回りに回転させてのブラッシング洗浄により、被洗浄車両５の下面（底部）５ｅの汚れを確実に落とすことができ、以て下面（底部）５ｅの洗浄を常に十分に行うことができる。
【００３７】
また、車輪６にロッカーブラシ１９を作用させるデータに基づいて、車輪内側６ａに対向したときに噴射ノズル３９から洗浄水（高圧水）を噴射させることで、図５に示すように、従来では洗浄できなかった被洗浄車両５の車輪内側（タイヤハウス）６ａも好適に高圧洗浄することができる。その際に、台車体３２に対して噴射ノズル４１を、被洗浄車両５の車幅（車種）に対応した修正手段５１の変位に応じて車幅方向Ｂに出退動させることで、車幅の異なる複数種の被洗浄車両５の車輪内側６ａに、常に好適に噴射ノズル４１を対向させて高圧洗浄することができる。
【００３８】
なお底部洗浄装置３１による被洗浄車両５の下面（底部）５ｅの洗浄は、洗車機本体１０側の車両位置センサーによる被洗浄車両５の後部の位置把握（データ）に基づいて、車長全域に行ったのち停止される。そして台車体３２は、洗車機本体１０の復走行に同期状として復移動され、以て図２、図４に示すように、後部の待機位置に戻される。
【００３９】
上記した実施の形態１では、洗車機本体１０のみを移動させることで、洗車機本体１０と被洗浄車両５を相対移動させて、被洗浄車両５の洗車を行う形式が示されているが、これは洗車機本体１０を固定状態とし、ローラコンベヤ（車両移動手段）を用いて被洗浄車両５を前後、または一方に移動させて、相対移動するようにした形式などであってもよく、この場合に底部洗浄装置３１は定置形式などであってもよい。また、洗車機本体１０を、洗浄手段を備えた前部本体と乾燥手段を備えた後部本体とに分離し、これら前部本体と後部本体とを各別に移動可能とした形式などであってもよい。
【図面の簡単な説明】
【００４２】
【図１】本発明の実施の形態１を示し、洗車機における洗浄開始時の一部切り欠き側面図である。
【図２】同洗車機における洗浄開始前の一部切り欠きの側面図である。
【図３】同洗車機の正面図である。
【図４】同洗車機における底部洗浄装置部分の平面図である。
【図５】同洗車機における底部洗浄装置部分の正面図である。
【図６】同洗車機における底部洗浄装置部分の要部の平面図である。
【符号の説明】
【００４３】
１        床面
２        洗車機用レール
３        台車体用レール
５        被洗浄車両
５ｅ      下面（底部）
６        車輪
６ａ      車輪内側
１０      洗車機本体
１８      サイドブラシ
１９      ロッカーブラシ
２０      トップブラシ
３１      底部洗浄装置
３２      台車体
３３      輪体
３４      軸受部材
３５      底面用ブラシ
３６      ブラシ軸
３６Ａ    横方向軸心
３７      ブラシ駆動部
３８      巻き掛け伝動装置
３９      洗浄水ノズル
４０      ガイド穴部
４１      噴射ノズル
４２      支持部材
４３      ガイドローラ
４４      往復動装置
５１      修正手段
５２      車輪受け板
５３      ガイド体
５３Ａ    誘導部
５４      四連リンク機構
５５      引っ張りばね（付勢具）
６１      操作パネル
６２      制御装置
Ａ        前後方向（相対移動方向）
Ｂ        車幅方向（左右方向）
Ｃ        洗浄位置
Ｗ        ガイド体５３による最大ガイド幅
【図１】
0004952659.tif 000002
【図２】
0004952659.tif 000003
【図３】
0004952659.tif 000004
【図４】
0004952659.tif 000005
【図５】
0004952659.tif 000006
【図６】
0004952659.tif 000007